(57)【特許請求の範囲】
【請求項１】
ベースと、受け具と、高さ調整具と、調整ボルトと、押さえ具とを備え、受け具は、ベースに取り付けてあって係合部を有しており、高さ調整具は、受け具の係合部に係合していて、受け具に対して上下方向軸周りに回転不能でありかつ上下方向に移動自在であって、太陽電池モジュールの端部を載せる載置部を有しており、調整ボルトは、高さ調整具に上側から螺合しておりかつ下側への移動を規制してあり、押さえ具は、太陽電池モジュールの端部を上側から押さえるものであることを特徴とする太陽電池モジュール取付具。
【請求項２】
太陽電池モジュールと、請求項１記載の太陽電池モジュール取付具とを備え、高さ調整具の載置部に太陽電池モジュールの端部を載せてあって、押さえ具が太陽電池モジュールの端部を上側から押さえていることを特徴とする太陽電池装置。
【発明の詳細な説明】
【技術分野】
【０００１】
本発明は、太陽電池モジュールを屋根に固定するための太陽電池モジュール取付具及びそれを用いて構成した太陽電池装置に関する。
【背景技術】
【０００２】
近年、建築物の屋根に設置する太陽電池装置が広く普及している。一般に太陽電池装置は、平板形状の太陽電池モジュールを複数枚並べて構成するものであって、屋根に太陽電池モジュールを一枚ずつ取り付けるものであり、その取付構造について種々のものが提案されている。図９（ａ）に示すものはその一例であり、この取付具は、屋根に固定するベース部材１０１と、ベース部材１０１の上に取り付ける押さえ部材１０２とを備える。ベース部材１０１の上面には取付溝１０３を形成してあり、取付溝１０３の両側壁には返し片１０４を形成してあって、取付溝１０３内に取付ボルト１０５の頭部を挿入してある。そして押さえ部材１０２にはボルト孔を形成しあって、ボルト孔に取付ボルト１０５の軸を通し、取付ナット１０６を締めて固定してある。この押さえ部材１０２は、上端部の水平方向両端に水平片１０７を有しており、水平片１０７とベース部材１０１とで太陽電池モジュール１０８を挟み込んで固定する。
【０００３】
ところで、実際にこのような取付具を用いて太陽電池モジュールを設置する際には、太陽電池モジュールがねじれないように不陸調整を行うことが重要である。この取付具において太陽電池モジュール１０８の取り付け高さを調整するには、図９（ｂ）に示すように、スペーサ１０９を用いる。スペーサ１０９は矩形の平板で切欠部１１０を有しており、取付ボルト１０５の軸を切欠部１１０に通して、ベース部材１０１と押さえ部材１０２の間に挿入する。このスペーサ１０９は、異なる厚さのものが複数種類用意されている。
【発明の概要】
【発明が解決しようとする課題】
【０００４】
しかしながら、不陸調整のために、各取付具に適切な厚さのスペーサを挿入する作業には手間がかかり、作業性が悪かった。また、スペーサの数が足りなくなった場合、作業を中断せざるを得なかった。さらに、スペーサの厚さ単位でしか高さを調整することができない点や、スペーサ分の部品代が余計にかかる点も問題であった。
【０００５】
本発明は、上記事情を鑑みたものであり、不陸調整が容易な太陽電池モジュール取付具及びそれを用いて構成した太陽電池装置を提供することを目的とする。
【課題を解決するための手段】
【０００６】
本発明のうち請求項１の発明は、ベースと、受け具と、高さ調整具と、調整ボルトと、押さえ具とを備え、受け具は、ベースに取り付けてあって係合部を有しており、高さ調整具は、受け具の係合部に係合していて、受け具に対して上下方向軸周りに回転不能でありかつ上下方向に移動自在であって、太陽電池モジュールの端部を載せる載置部を有しており、調整ボルトは、高さ調整具に上側から螺合しておりかつ下側への移動を規制してあり、押さえ具は、太陽電池モジュールの端部を上側から押さえるものであることを特徴とする。
【０００７】
本発明のうち請求項２の発明は、太陽電池モジュールと、請求項１記載の太陽電池モジュール取付具とを備え、高さ調整具の載置部に太陽電池モジュールの端部を載せてあって、押さえ具が太陽電池モジュールの端部を上側から押さえていることを特徴とする。
【発明の効果】
【０００８】
本発明のうち請求項１の発明によれば、調整ボルトを締める方向に回すと、調整ボルト自身は下側への移動を規制されているので、これと螺合している高さ調整具が上昇する。そして逆に調整ボルトを緩める方向に回すと、高さ調整具が下降する。よって、調整ボルトを回すだけで容易に不陸調整が可能であるから、作業性が良好である。また、調整ボルトの回転により高さ調整具の高さ位置が変化するので、無段階に高さを調節することができ、微調整も容易である。
【０００９】
本発明のうち請求項２の発明によれば、設置時における不陸調整が容易な太陽電池装置を提供することができる。
【図面の簡単な説明】
【００１０】
【図１】本発明の太陽電池モジュール取付具の斜視図である。
【図２】太陽電池モジュール取付具の分解斜視図である。
【図３】高さ調整についての説明図であり、（ａ）は高さ調整具を下げた状態、（ｂ）は高さ調整具を上げた状態を示す。
【図４】太陽電池装置の棟側端部に取り付けた太陽電池モジュール取付具の断面図である。
【図５】太陽電池装置の軒先側端部に取り付けた太陽電池モジュール取付具の断面図である。
【図６】太陽電池装置の全体図である。
【図７】太陽電池モジュール取付具の第二実施形態の断面図である。
【図８】太陽電池モジュール取付具の第三実施形態の断面図である。
【図９】従来の太陽電池モジュール取付具の説明図であり、（ａ）はスペーサ未挿入状態、（ｂ）はスペーサ挿入状態を示す。
【発明を実施するための形態】
【００１１】
以下、本発明の実施の形態を図面に基づいて説明する。なお、以下において前後左右とは、図１、図２及び図６に示した方向のことであり、前側が軒先側、後側が棟側に相当する。この太陽電池モジュール取付具の第一実施形態は、太陽電池モジュールを屋根に固定して、太陽電池装置を構成するためのものである。太陽電池モジュール６は矩形平板形状であって、図１に示すように、前端面及び後端面に係合突起６１を設けてある。係合突起６１は、略Ｌ字形状で先端が上側を向いており、左右方向の全長にわたって延びている。また、下面の前端部及び後端部には、係合溝６２を形成してある。係合溝６２は、下側に向けて溝幅が広がる断面台形形状であって、左右方向の全長にわたって延びている。本発明の太陽電池モジュール取付具は、このような太陽電池モジュール６の前端部及び後端部に係合するものであり、ベース１、受け具２、高さ調整具３、調整ボルト４及び押さえ具５からなる。以下、図１〜図３に基づき、太陽電池モジュール取付具の各部材について説明する。なお、最初に代表例として説明するのは、前後に並んだ太陽電池モジュール６の間に太陽電池モジュール取付具を取り付ける場合であり、端部に取り付ける場合については後述する。
【００１２】
ベース１は、矩形平板形状であって、前後方向中央部には突出部１１を形成してある。突出部１１は断面台形であって、左右方向の全長にわたって延びており、上面の左右両端部にネジ孔１２を形成してある。また、ベース１の前後両端部には円形の貫通孔１３を形成してあって、この貫通孔１３に上側からネジ１４を挿入して、ベース１を屋根に固定してある。
【００１３】
受け具２は、ベース１の上側に取り付けるものであり、受け部２１と、台座部２２からなる。受け部２１は、前後左右に壁面を有する枠体形状で、壁面に囲まれた空間を係合部２３としてあり、係合部２３は上下に貫通している。そして左右の側面には突起を形成してあり、この突起に上下に貫通するネジ孔２４を設けてある。一方、台座部２２は、矩形平板の前後両端を下方へ折り曲げた形状であり、左右の両端部に、前後に延びる長孔２５を形成してある。そして左右の長孔２５の内側に円形の貫通孔２６を形成してあり、この貫通孔２６に下側からネジ２７を挿入し、受け部２１のネジ孔２４に螺合させて、受け部２１と台座部２２とを一体に接合している。さらに、台座部２２の中心部には、後述の調整ボルト４が貫通する大きさの受け孔２８を形成してある。そして、台座部２２は、長孔２５に上側からネジ２９を挿入し、ベース１のネジ孔１２に螺合させて、台座部２２をベース１に固定してある。台座部２２はベース１の突出部１１を覆うようにして取り付けられるが、台座部２２の前後方向幅は突出部１１の前後方向幅よりも広く、ベース１に対する台座部２２の取付位置を長孔２５に沿って前後に調整することが可能である。
【００１４】
高さ調整具３は、コ字形状の形材からなり、左右方向視して下側に開口するコ字形状であり、上面視して長方形であって、受け部２１の係合部２３に上側から丁度嵌まる大きさである。高さ調整具３を係合部２３に嵌め込んで係合させると、受け部２１（受け具２）に対して上下方向軸周りに回転不能でありかつ上下方向に移動自在となる。そして高さ調整具３の上面の前後端部は、中央部に対して一段低く形成してあって、太陽電池モジュール６の端部を載せる載置部３１となっており、前側の載置部３１の前端及び後側の載置部３１の後端には突条３２を形成してある。突条３２は、前側面（後側面）が高さ調整具３の前側面（後側面）と面一であり、内側面が垂直よりも外側に傾斜する断面台形形状であって、左右方向の全長にわたって延びている。また、突条３２の高さは高さ調整具３の中央部の上面と同じであり、突条３２と中央部との間には溝部３３が形成されている。さらに、高さ調整具３の上面の中心には、ボルト孔３４を形成してあり、上側から調整ボルト４が螺合している。調整ボルト４をねじ込んでいくと、下端は台座部２２の受け孔２８を通ってベース１の上面に当接し、それ以上、下側へは移動できないようになっている。なお、調整ボルト４の下端が台座部２２の受け孔２８を通っていることによって水平方向の動きが規制されており、調整ボルト４の下端がベース１上面上を滑って調整ボルト４が傾くことを防いでいる。
【００１５】
押さえ具５は、矩形平板の前後両端を下方へ外側に広がるように折り曲げて断面ハの字形の傾斜片５１を形成し、さらに前後の傾斜片５１の下端部を垂直下方へ折り曲げて係合片５２としてあって、係合片５２が太陽電池モジュール６の係合突起６１に係合する。そして上面の左右に円形の貫通孔５３を形成してあり、この貫通孔５３に上側からネジ５４を挿入し、受け部２１のネジ孔２４に螺合させて受け具２と接合してある。なお、この押さえ具５は、前後に並んだ太陽電池モジュール６の間に取り付ける太陽電池モジュール取付具に用いるものであり、端部に取り付ける太陽電池モジュール取付具に用いるものについては後述する。
【００１６】
次に、このように構成した太陽電池モジュール取付具によって太陽電池モジュールを固定する方法及びその高さを調節する方法について説明する。太陽電池モジュールを固定するには、図３（ａ）に示すように、高さ調整具３と、押さえ具５とで、太陽電池モジュール６の端部を挟み込む。より詳しくは、まず太陽電池モジュール６を高さ調整具３の前後の載置部３１に載置し、太陽電池モジュール６の下面の係合溝６２に突条３２を挿入させる。この際、係合溝６２は太陽電池モジュール６の左右方向の全長にわたって形成してあるから、突条３２は係合溝６２の左右方向の任意の位置に挿入させることができるので、太陽電池モジュール６は、高さ調整具３に対して左右方向の位置調整が自在である。そして太陽電池モジュール６を高さ調整具３に載置したら、調整ボルト４を回して高さを調整する。調整ボルト４の下端は台座部２２の受け孔２８を通ってベース１に当接していて、調整ボルト４は下側への移動を規制されているから、調整ボルト４を締める方向に回すと、これと螺合している高さ調整具３が上昇する（図３（ｂ）の状態）。高さ調整具３は、受け部２１の係合部２３から脱出しない位置まで上昇させることができる。逆に調整ボルト４を緩める方向に回すと、高さ調整具３が下降し、高さ調整具３の下端が台座部２２の上面に当接した図３（ａ）の状態が、最も低い状態である。このように、太陽電池モジュール６は高さ方向の位置調整も自在である。そして調整ボルト４を操作して高さを調整したら、押さえ具５を取り付ける。押さえ具５は、前側の係合片５２を前側の太陽電池モジュール６の係合突起６１に係合させ、後側の係合片５２を後側の太陽電池モジュール６の係合突起６１に係合させて、受け具２にネジ止めする。ここで、係合突起６１は太陽電池モジュール６の前端面及び後端面に設けてあるが、太陽電池モジュール６の上面から係合突起６１までの距離が、押さえ具５の高さよりも長くなっており、押さえ具５を係合突起６１に係合させた際に、押さえ具５の上面は太陽電池モジュール６の上面よりも低くなる。以上により、太陽電池モジュール取付具によって太陽電池モジュール６が固定される。なお、上述のとおり、受け具２の台座部２２はベース１に対して前後方向の位置調整が自在であるから、この太陽電池モジュール取付具により、太陽電池モジュール６を、前後、左右及び上下のすべての方向について位置調整自在に取り付けることができる。
【００１７】
このように構成した太陽電池モジュール取付具によれば、調整ボルトを回すだけで容易に不陸調整が可能であるから、作業性が良好である。また、調整ボルトの回転により高さ調整具の高さ位置が変化するので、無段階に高さを調節することができ、微調整も容易である。また、押さえ具が太陽電池モジュールの係合突起に係合し、高さ調整具の突条が太陽電池モジュールの係合溝に挿入されており、何れの箇所においても前後方向の動きが規制されている。よって、従来の取付具のように単に上下から挟み込む場合と比較して、風や地震などの揺れに強く、安定して確実に固定できる。さらに、押さえ具の上面が太陽電池モジュールの上面よりも低くなっているので、押さえ具が太陽電池モジュールの表面に影を作ることがなく、太陽電池モジュールの発電効率を低下させることがない。
【００１８】
ここまでは、前後に並んだ太陽電池モジュール６の間に太陽電池モジュール取付具を取り付ける場合の説明であったが、次に、端部に取り付ける場合について説明する。端部とはすなわち、前後に並んだ太陽電池モジュールのうち、最後列の太陽電池モジュールの後端部（棟側）、及び最前列の太陽電池モジュールの前端部（軒先側）であり、ここでは前後の一方側のみに太陽電池モジュールが載置される。まず、図４に示すのは、棟側の端部に取り付ける場合である。この場合、高さ調整具３の前側の載置部３１のみに太陽電池モジュール６を載置し、押さえ具に替えて、端部用押さえ具８を取り付けてある。端部用押さえ具８は、後側の傾斜片８１の下端から下方に向けて延びる壁面部８３を有している。壁面部８３の下端は断面台形状に形成してあって、高さ調整具３の溝部３３に嵌まっている。前側の傾斜片８１及び係合片８２については押さえ具と同じ形状であって、係合片８２が前側の太陽電池モジュール６の係合突起６１に係合している。このような構成により、棟側の端部においても、太陽電池モジュール６を、前後、左右及び上下のすべての方向について位置調整自在に取り付けることができる。そして、押さえ具と端部用押さえ具８を交換するだけで、同じ太陽電池モジュール取付具を、中間部と端部の両方に兼用して使用することができる。
【００１９】
次に、図５に示すのは、軒先側の端部に取り付ける場合である。この場合、高さ調整具３の後側の載置部３１のみに太陽電池モジュール６を載置し、前側の載置部３１には軒先カバー９を載置してある。軒先カバー９は、左右方向長さが太陽電池モジュール６と同じであって、前後方向長さはベース１の半分程度であり、後端部が太陽電池モジュール６と同じ形状である。すなわち、後端部は太陽電池モジュール６と同じ厚さであって、後端面に係合突起９１を設けてあり、下面の後端部に係合溝９２を形成してあり、係合溝９２に高さ調整具３の突条３２を挿入させてある。そして、前端面は設置面に対して垂直よりも後側に傾斜しており、前端面の下端からは前端片９３が設置面の直上まで延びている。前端面と前端片９３とは面一であって、太陽電池モジュールの商品名や企業名などを表示する表示面９４として利用できる。そして、このように形成した軒先カバー９及び太陽電池モジュール６を押さえ具５で押さえてあり、すなわち、押さえ具５の前側の係合片５２を軒先カバー９の係合突起９１に係合させ、後側の係合片５２を太陽電池モジュール６の係合突起６１に係合させてある。このような構成により、軒先側の端部においても、太陽電池モジュール６を、前後、左右及び上下のすべての方向について位置調整自在に取り付けることができる。なお、軒先側に上述の端部用押さえ具８を用いた太陽電池モジュール取付具を取り付けても太陽電池モジュールを固定することは可能であるが、その場合、地表から屋根上の太陽電池装置を見上げると、太陽電池モジュール取付具が見えてしまうため意匠性が悪い。そこで、軒先カバー９を取り付けることにより、太陽電池モジュール取付具を覆い隠すことができる。そして、軒先カバー９は太陽電池モジュール６と同様に取り付けることが可能であって、取り付けのための特別な部品や加工は必要ない。
【００２０】
続いて、図６に示すのは、本発明の太陽電池モジュール取付具７によって太陽電池モジュール６を固定して構成した太陽電池装置の全体図である。この太陽電池装置は、四枚の太陽電池モジュール６を備えており、これを前後に二枚、左右に二枚並べてある。太陽電池モジュール取付具７は、各太陽電池モジュール６の前端部と後端部に二つずつ取り付けてあり、前後の太陽電池モジュール６の間の太陽電池モジュール取付具７は、一つで前後の太陽電池モジュール６を支持しているから、太陽電池モジュール取付具７の総数は十二個である。これらのうち、後側の四つの太陽電池モジュール取付具７（右上に拡大図示）は、図４に示したように、端部用押さえ具８を用いたものであり、前側の四つの太陽電池モジュール取付具７（左下に拡大図示）は、図５に示したように、前側に軒先カバー９を取り付けてあり、中央の四つの太陽電池モジュール取付具７（右下に拡大図示）は、図１〜図３に示したように、前後に太陽電池モジュール６を取り付けてある。そして、上述のような特徴を有する太陽電池モジュール取付具を用いたことにより、この太陽電池装置は設置時における不陸調整が容易である。なお、太陽電池モジュール取付具７を追加することで、前後左右にさらに多くの太陽電池モジュール６を増設することが可能である。
【００２１】
図７に示すのは、本発明の太陽電池モジュール取付具の第二実施形態である。第二実施形態を第一実施形態と比較すると、ベース１、受け具２、高さ調整具３及び調整ボルト４の構成は同じであって、押さえ具５ａの形状のみが異なっている。第二実施形態の押さえ具５ａは、矩形平板の前後両端を上方へ折り曲げて起立片５１ａとし、さらに前後の起立片５１ａの上端を水平方向外側（前側又は後側）へ折り曲げて押圧片５２ａとしてあって、押圧片５２ａが太陽電池モジュール６ａの端部を上面から押さえる。そして、太陽電池モジュール６ａの係合溝６２ａに高さ調整具３の突条３２を挿入させてあって、押さえ具５ａを受け具２にネジ止めしてある点は、第一実施形態と同様である。この第二実施形態の太陽電池モジュール取付具によれば、前端面及び後端面に係合突起を有していない太陽電池モジュール６ａであっても、固定することが可能である。
【００２２】
図８に示すのは、本発明の太陽電池モジュール取付具の第三実施形態である。第三実施形態を第一実施形態と比較すると、調整ボルト４及び押さえ具５の構成は同じであって、ベース１ａ、受け具２ａ及び高さ調整具３ａの形状のみが異なっている。第三実施形態の高さ調整具３ａは、第一実施形態の高さ調整具よりも前後方向に長く、載置部３１ａの面積が広くなっており、突条を有していない。載置部３１ａには太陽電池モジュール６ｂの端部が載置される。また、ベース１ａ及び受け具２ａ（受け部２１ａ、台座部２２ａ及び係合部２３ａ）についても、高さ調整具３ａに合わせて前後方向に長く形成してある。そして、上側から押さえ具５を取り付けて、係合片５２を太陽電池モジュール６ｂの係合突起６１ｂに係合させてある点は、第一実施形態と同様である。この第三実施形態の太陽電池モジュール取付具によれば、下面の前端部及び後端部に係合溝を有していない太陽電池モジュール６ｂであっても、固定することが可能である。
【００２３】
本発明は、上記の実施形態に限定されない。たとえば、ベースは受け具を固定できるものであれば、板状のもの以外でもよく、設置面の凹凸に合わせた形状など、自由に設定できる。また、受け具は、受け部と台座部とをあらかじめ一体に形成してもよい。さらに、高さ調整具は、受け具に対して上下方向軸周りに回転不能でありかつ上下方向に移動自在であれば、どのような構造であってもよい。よって、たとえば、上記実施形態のように高さ調整具が枠体形状の受け具に嵌まるものであれば、両者が四角形以外の多角形であるものや、円形であって回転を防ぐ嵌合部・被嵌合部を有するものでもよい。あるいは、それ以外の構成として、高さ調整具に上下方向に延びる断面多角形の孔を設け、受け具に孔に嵌まる軸を設けたり、高さ調整具に上下方向に延びる複数本の断面円形の孔を設け、受け具に孔に嵌まる複数本の軸を設けたりしてもよい。また、太陽電池モジュールが係合突起や係合溝を有していない場合もあり、その場合は第二実施形態や第三実施形態の太陽電池モジュール取付具で対応する。そして、太陽電池モジュールが係合突起や係合溝を有するものである場合、その形状は上記実施形態のものに限られず、それらと係合する押さえ具の係合片や高さ調整具の突条も、相互に係合する形状であればどのようなものであってもよい。
【符号の説明】
【００２４】
１  ベース
２  受け具
３  高さ調整具
４  調整ボルト
５  押さえ具
６  太陽電池モジュール
７  太陽電池モジュール取付具
２３  係合部
３１  載置部
【図１】
0005687973.tif 000002
【図２】
0005687973.tif 000003
【図３】
0005687973.tif 000004
【図４】
0005687973.tif 000005
【図５】
0005687973.tif 000006
【図６】
0005687973.tif 000007
【図７】
0005687973.tif 000008
【図８】
0005687973.tif 000009
【図９】
0005687973.tif 000010